(57)【要約】【課題】遊技領域内での偏摩耗や左右片側だけの劣化を低減し、右打ちや左打ちの遊技の場合であっても球詰まりを発生しにくく、入賞し損ねた球の他の入賞口への予期せぬ入賞を極力避けることのできる遊技盤及び遊技機を提供すること。【解決手段】この遊技盤１は、球１０を流下させるための遊技盤面１ｂと、遊技盤面１ｂ上に配置された内レール１２ａによって画定される遊技領域１ａ内に形成され、遊技領域１ａの中央下方部に形成された第１入賞口１６と、遊技領域１ａ内であって第１入賞口１６の左右いずれかの上流側位置に形成された第２入賞口１７と、遊技領域１ａの最下端まで流下した球１０を排出するために遊技領域１ａの中央最下端近傍に形成された第１アウト口１８と、第１入賞口１６の左右方向第２入賞口１７側であって第２入賞口１７の下流側に形成され、球１０を排出する第２アウト口１９とを有している。【選択図】図４
2008067937.tif 000002
【特許請求の範囲】
【請求項１】
球を流下させるための遊技盤面と、
該遊技盤面上に配置された内レールによって画定される遊技領域内に形成され、該遊技領域の中央下方部に形成された第１入賞口と、
前記遊技領域内であって該第１入賞口の左右いずれかの上流側位置に形成された第２入賞口と、
前記遊技領域の最下端まで流下した前記球を排出するために前記遊技領域の中央最下端近傍に形成された第１アウト口と、
前記第１入賞口の左右方向前記第２入賞口側であって該第２入賞口の下流側に形成され、前記球を排出する第２アウト口と、を有する遊技盤。
【請求項２】
前記第１入賞口に前記球を流入させるために該第１入賞口周囲に設けられた第１入賞具と、
前記第２入賞口に前記球を流入させるために該第２入賞口周囲に設けられた第２入賞具とをさらに有し、
該第１入賞具及び該第２入賞具が、前記球を受け入れる開状態と前記球を受け入れない閉状態とに可変である請求項１に記載の遊技盤。
【請求項３】
前記第１アウト口と前記第２アウト口とが連通して１のアウト口を形成している請求項１に記載の遊技盤。
【請求項４】
前記第２アウト口に前記球を流入させるために該第２アウト口周囲に設けられたアウト口誘導具をさらに有し、
該アウト口誘導具が、前記球を受け入れる開状態と前記球を受け入れない閉状態とに可変である請求項１又は請求項２に記載の遊技盤。
【請求項５】
前記第２アウト口に前記球を流入させるために流入開口を有して該第２アウト口周囲に設けられたアウト口誘導具をさらに有し、
該アウト口誘導具の流入開口の開口幅が前記第２入賞具の横幅よりも大きい請求項２に記載の遊技盤。
【請求項６】
球を前記遊技領域内に向けて発射するための球発射装置と、
前記球を前記球発射装置に導くべく貯留する球皿と、
該球発射装置の駆動及び発射強度調整を行うための発射ハンドルと、
請求項１から請求項５のうちいずれか１項に記載の遊技盤と、
該遊技盤を保持するための保持枠と、
前記遊技盤面と平行に一定距離離間して前記球の流下路を形成する前面ガラスと、
該前面ガラスを保持するガラス保持枠と、を有する遊技機。
【請求項７】
遊技内容の少なくとも一部に、前記遊技領域の左右いずれかであって前記第２入賞口側に向けて所定時間連続的に前記球の発射を行わせる遊技を含む請求項６に記載の遊技機。
【発明の詳細な説明】
【技術分野】
【０００１】
本発明は、遊技盤及び遊技機に係り、特に右打ち又は左打ちによって遊技領域の左右いずれかが偏重して使用される遊技盤及び遊技機に関する。本発明は、そのような偏重使用される遊技盤等における偏摩耗の抑制、部材の劣化防止、球詰まり発生防止等に好適である。
【背景技術】
【０００２】
パチンコ機等の弾球遊技機（以下、遊技機という。）では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このような遊技機において、より一層の興趣向上を図るために遊技盤面上の入賞口の個数を増加させる傾向にある。また、遊技盤の盤面中央に変動入賞装置や図柄表示装置等の役物を配したものもある。
【０００４】
変動入賞装置には、例えばその入賞装置内に遊技演出用のキャラクター人形等の役物と複数種類の入賞口とが配置されている。そして、変動入賞装置内に流入した球が、キャラクター人形等の動作に影響されていずれの種類の入賞口に入賞するかを楽しめるように構成されている。いずれの種類の入賞口に入賞したかに応じて、払い出される景品球数が異なったり、異なる種類の別遊技が開始されたりする。
【０００５】
また、図柄表示装置は、その表示画面に表示された図柄等が変動し特定の表示態様となったときに、遊技者に多量の景品球を獲得させるいわゆる「当り」を構成するためのものである。遊技機にこの図柄表示装置が配されることにより、遊技盤面の入賞口に球が入賞して所定個数の景品球払出しがされる場合のみならず、図柄変動の結果によっても多量の景品球が払い出されるので、遊技者の興趣は一層向上する。
【０００６】
この「当り」の際には、遊技領域内の中央下方部に配置された大入賞役物（いわゆるアタッカー）が開状態又は開閉繰返し状態となって多量の球を入賞させ、多量の景品球が払出されるようになっている。アタッカーは、他の一般的な入賞役物（いわゆる普通入賞役物）とは異なり、球を流入させる開口部分が大きく形成されていて、開閉可能となっている。「当り」でない場合は、アタッカーは閉じているので、その部分を球が通過しても入賞しないようになっている。
【０００７】
最近では、遊技領域内にこのアタッカーを複数配置することも行われている。遊技領域内の異なる箇所に複数のアタッカーを配置し、例えば図柄表示装置の異なる図柄変動結果に応じてそれぞれのアタッカーを開閉制御することにより、さらに多様な遊技内容、多くの景品球獲得機会を提供することができる。したがって、遊技者にとっての興趣が一層増大することとなる。
【０００８】
しかし、アタッカーを遊技領域の中央以外、すなわち左右のいずれかの側に配置した場合には、そのアタッカーへの入賞を狙って左右いずれかに偏重して球発射が行われることとなる。その結果、従来は左右略均等に使用されていた遊技盤（及びその遊技領域）が、左右のいずれかに偏って使用されてしまうこととなる。そうすると、遊技領域内の左右いずれか一方が偏摩耗を生じたり、頻繁に使用する側だけが偏って痛んでしまう。
【０００９】
アタッカーへの入賞を狙う場合のみならず、遊技内容の一部に右打ち（球発射強度を強めて、遊技領域の右側部分をめがけて球発射を行う打ち方。）や左打ち（球発射強度を弱めて、遊技領域の左側部分をめがけて球発射を行う打ち方。）を行わせる遊技が含まれている場合も同様に遊技領域の偏摩耗等が発生する。
【００１０】
いずれの入賞口にも入賞しないアウト球は遊技領域中央最下端近傍に形成されたアウト口から排出される。右打ちの場合は遊技領域の右側から多量のアウト球が、左打ちの場合は遊技領域の左側から多量のアウト球が、内レールに接触しつつ沿ってアウト口へと流入する。したがって、例えば右打ちを遊技内容に含む場合やアタッカーが遊技領域の右側に配置されている場合は、遊技領域の右側部分、特に内レールの右側部分が激しく摩耗したり劣化したりする。
【００１１】
このような遊技領域内での偏摩耗や偏重した劣化を防止するには、アウト口を複数形成することが有効と考えられる。遊技領域内に複数のアウト口を形成したものとして、例えば特許文献１に開示のものがある。
【特許文献１】特開２００１−１９８２８１
【発明の開示】
【発明が解決しようとする課題】
【００１２】
しかしながら、単に遊技領域内にアウト口を複数配置しても遊技領域内での偏摩耗や偏重した劣化を効果的に防止することができない。また、遊技領域の左右片側のみに集中して球発射を行うと、遊技盤面上を流下する球の個数も片側に集中し、それに伴う球詰まりも発生しやすくなってしまう。したがって、そのような球詰まりが発生しにくいようにアウト口を配置する必要がある。
【００１３】
また、複数のアタッカーが比較的近い位置に配置されている場合に、一方のアタッカーに入賞し損ねた球が他の部材、例えばゲージや内レールに衝突して跳ね返り、他方のアタッカーに入賞してしまう場合がある。このような他方のアタッカーへの予期せぬ入賞は遊技者にとっても遊技機ホール側にとっても好ましくないので、この予期せぬ入賞が極力避けられるようにアウト口を配置する必要もある。
【００１４】
本発明は上記の事情に鑑みて為されたもので、遊技領域内での偏摩耗や左右片側だけの劣化を低減し、右打ちや左打ちの遊技の場合であっても球詰まりを発生しにくく、入賞し損ねた球の他の入賞口への予期せぬ入賞を極力避けることのできる遊技盤及び遊技機を提供することを例示的課題とする。
【課題を解決するための手段】
【００１５】
上記の課題を解決するために、本発明の例示的側面としての遊技盤は、球を流下させるための遊技盤面と、遊技盤面上に配置された内レールによって画定される遊技領域内に形成され、遊技領域の中央下方部に形成された第１入賞口と、遊技領域内であって第１入賞口の左右いずれかの上流側位置に形成された第２入賞口と、遊技領域の最下端まで流下した球を排出するために遊技領域の中央最下端近傍に形成された第１アウト口と、第１入賞口の左右方向第２入賞口側であって第２入賞口の下流側に形成され、球を排出する第２アウト口とを有する。
【００１６】
第２アウト口が、第１入賞口の左右方向第２入賞口側であって第２入賞口の下流側に形成されているので、第２入賞口の下流側に流下した球を円滑に第２アウト口に流入させることができる。この第２アウト口の形成位置は、例えば、第１入賞口と第２入賞口と内レールとで囲まれる領域であってもよい。
【００１７】
第２入賞口が遊技領域の右側に形成されている場合に、遊技者が遊技領域の右側に集中的にかつ頻繁に球発射を行ったとしても、第２入賞口の下流側に流下した球の大多数を第２アウト口に流入させることができる。アウト球を第２アウト口に流入させるので、内レールの右側部分に多数のアウト球が衝突することがない。また、内レールの右側部分に接触しつつ沿って第１アウト口まで流下するアウト球の個数も大きく低減することができる。
【００１８】
したがって、内レールの右側部分の劣化や摩耗を大幅に低減することが可能である。ひいては、遊技盤やその周辺部材の片側だけの偏摩耗や偏重した劣化を低減することができ、遊技盤や周辺部材、遊技機の寿命向上に寄与することができる。
【００１９】
また、第２アウト口の下流側に流下した球を内レールに衝突する前に第２アウト口へと流入させるので、内レールで跳ね返った球が他の入賞口、例えば第１入賞口に予期せず入賞してしまうことも殆どない。また、跳ね返った球が他の球の流下を妨害して球詰まりを発生してしまうことも殆どない。
【００２０】
その遊技盤が、第１入賞口に球を流入させるために第１入賞口周囲に設けられた第１入賞具と、第２入賞口に球を流入させるために第２入賞口周囲に設けられた第２入賞具とをさらに有し、第１入賞具及び第２入賞具が、球を受け入れる開状態と球を受け入れない閉状態とに可変であってもよい。
【００２１】
このように構成することにより、第１入賞具及び第２入賞具の開閉を様々に制御することが可能となり、この遊技盤を用いた遊技機の遊技内容を多様化することができる。したがって、その遊技機で遊技を行う遊技者にとっての興趣が向上する。
【００２２】
また、第１入賞具及び第２入賞具の開閉状態に応じて、第２アウト口が様々な効果を発揮することとなる。例えば、第１入賞具が開状態のときは、第２入賞口に入賞し損なった球が第１入賞口に入賞してしまいやすいので、そのような予期せぬ第１入賞口への入賞を第２アウト口によって効果的に防止することができる。一方、第２入賞具が閉状態のときは、第２入賞口に入賞できない球が多量に流下して内レールへの繰返し衝突や球詰まりを生じやすい。しかし、第２入賞口を流下した多数の球を第２アウト口に流入させることにより、内レールへのダメージを低減したり球詰まりの発生を防止したりすることができる。
【００２３】
遊技盤において、第１アウト口と第２アウト口とが連通して１のアウト口を形成していてもよい。
【００２４】
第１アウト口と第２アウト口が連通して１のアウト口を形成しているので、アウト口が大きく開口することとなり、アウト球を円滑に排出することができる上に、内レール等への悪影響もより一層効果的に低減することができる。また、アウト口を２箇所別々に形成する必要がないので、遊技盤の製造工程も削減することができ、製造の効率化に寄与することができる。
【００２５】
遊技盤が、第２アウト口に球を流入させるために第２アウト口周囲に設けられたアウト口誘導具をさらに有し、アウト口誘導具が、球を受け入れる開状態と球を受け入れない閉状態とに可変であってもよい。
【００２６】
第２アウト口のアウト口誘導具が開状態と閉状態とに可変であるので、第２アウト口へのアウト球の流入可否を制御することが可能である。したがって、この遊技盤を用いた遊技機の遊技内容を多様化することができる。したがって、その遊技機で遊技を行う遊技者にとっての興趣が向上する。また、第２アウト口にアウト球を流入させることによる効果（球詰まりの発生防止、内レールへのダメージ低減、予期せぬ入賞の防止等）を調整することも可能である。
【００２７】
また、第２アウト口に球を流入させるために流入開口を有して第２アウト口周囲に設けられたアウト口誘導具をさらに有し、アウト口誘導具の流入開口の開口幅が第２入賞具の横幅よりも大きくてもよい。
【００２８】
アウト口誘導具の開口幅が第２入賞具の横幅よりも大きいので、第２入賞具の側方を流下した球を容易に第２アウト口へと流入させることができる。ここで、アウト口誘導具の開口幅及び第２入賞具の横幅は、遊技盤を遊技機にセットした状態での遊技盤面に平行な左右方向寸法を意味する。第２入賞具が開閉可能な場合は、第２入賞具が閉状態のときのみならず開状態のときでも球を効果的に第２アウト口へと流入させることができる。
【００２９】
本発明の他の例示的側面としての遊技機は、球を遊技領域内に向けて発射するための球発射装置と、球を球発射装置に導くべく貯留する球皿と、球発射装置の駆動及び発射強度調整を行うための発射ハンドルと、上記の遊技盤と、遊技盤を保持するための保持枠と、遊技盤面と平行に一定距離離間して球の流下路を形成する前面ガラスと、前面ガラスを保持するガラス保持枠とを有する。
【００３０】
第２アウト口が、第１入賞口の左右方向第２入賞口側であって第２入賞口の下流側に形成されているので、第２入賞口の下流側に流下した球を円滑に第２アウト口に流入させることができる。この第２アウト口の形成位置は、例えば、第１入賞口と第２入賞口と内レールとで囲まれる領域であってもよい。
【００３１】
第２入賞口が遊技領域の右側に形成されている場合に、遊技者が遊技領域の右側に集中的にかつ頻繁に球発射を行ったとしても、第２入賞口の下流側に流下した球の大多数を第２アウト口に流入させることができる。アウト球を第２アウト口に流入させるので、内レールの右側部分に多数のアウト球が衝突することがない。また、内レールの右側部分に接触しつつ沿って第１アウト口まで流下するアウト球の個数も大きく低減することができる。
【００３２】
したがって、内レールの右側部分の劣化や摩耗を大幅に低減することが可能である。ひいては、遊技盤やその周辺部材の片側だけの偏摩耗や偏重した劣化を低減することができ、遊技盤や周辺部材、遊技機の寿命向上に寄与することができる。
【００３３】
また、第２アウト口の下流側に流下した球を内レールに衝突する前に第２アウト口へと流入させるので、内レールで跳ね返った球が他の入賞口、例えば第１入賞口に予期せず入賞してしまうことも殆どない。また、跳ね返った球が他の球の流下を妨害して球詰まりを発生してしまうことも殆どない。
【００３４】
したがって、この遊技機で遊技を行う遊技者は、予期せぬ入賞で不利益を被ることもなく、球詰まりによって不快な思いをしたり球詰まりを除去するための作業によって遊技の中断を余儀なくされることもなく、快適に遊技を継続して楽しむことができる。
【００３５】
遊技機が、遊技内容の少なくとも一部に、遊技領域の左右いずれかであって第２入賞口側に向けて所定時間連続的に球の発射を行わせる遊技を含んでいてもよい。
【００３６】
遊技内容に所定時間連続的に遊技領域の右側に球の発射を行わせる遊技（すなわち、右打ち遊技）が含まれている場合であっても、その右側に第２入賞口及び第２アウト口が形成されているので、球詰まりの発生、内レールへのダメージ、予期せぬ入賞等を防止又は低減することができる。したがって、この遊技機によって遊技者は快適に遊技を行うことができる。
【００３７】
本発明の更なる目的又はその他の特徴は、以下添付図面を参照して説明される好ましい実施の形態によって明らかにされるであろう。
【発明の効果】
【００３８】
本発明によれば、遊技盤における遊技領域内での偏摩耗や左右片側だけの劣化を低減し、右打ちや左打ちの遊技の場合であっても球詰まりを発生しにくく、入賞し損ねた球の他の入賞口への予期せぬ入賞を極力避けることができる。ひいては、そのような遊技盤を用いた遊技機によって、遊技者は、不利益を被ったり不快な思いをすることなく、快適に遊技を行うことができる。
【発明を実施するための形態】
【００３９】
［実施の形態１］
以下、本発明の実施の形態１について図面を用いて説明する。図１は、本発明の実施の形態１に係る遊技盤１を有するパチンコ機（遊技機）２を正面から見た正面図である。また、図２は、このパチンコ機２のガラス保持枠９を開成した状態を示す外観斜視図である。パチンコ機は、組合せ式パチンコ機、封入循環式パチンコ機等を含む。また、遊技機としてはパチンコ機の他に、遊技媒体としての球を遊技盤上で流下させるスロット機、ゲーム機、アーケードマシン等が概念できる。
【００４０】
パチンコ機２は、球発射装置（図示せず）、上皿（球皿）４ａ、発射ハンドル５、遊技盤１を有する遊技盤ユニット６、機枠（保持枠）７、前面ガラス８、ガラス保持枠９を有して大略構成されている。
【００４１】
図示しない球発射装置は、遊技媒体としての球（パチンコ球）１０を遊技領域１ａに向けて発射（弾球）するためのものである。球発射装置は、例えば発射位置に送り出された球１０を遊技領域１ａに向けて弾球する発射杆、その発射杆を駆動して弾球往復動を行わせる発射モータ、発射杆を付勢して弾球のための力を発生させる発射バネ等を有してユニット構成され、機枠７に取り付けられている。
【００４２】
上皿４ａは、球を球発射装置に導くべく貯留するためのもので、下皿４ｂとともに貯留皿４を構成する。上皿４ａは、パチンコ機２の前面（遊技者側）であって遊技盤１の下方、すなわちガラス保持枠９の下方部分に配置され、下皿４ｂは、その上皿４ａのさらに下方に配置されている。
【００４３】
本実施の形態１においては、上皿４ａと下皿４ｂとを別々に構成しているが、もちろんパチンコ機２に１つの貯留皿４が構成されていてもよい。上皿４ａは、景品球としてパチンコ機２から払い出された球１０を受け取る機能や、その球１０を球供給装置（いわゆる整流器、図示せず。）を介して球発射装置に導くべく貯留する機能を有している。また、上皿４ａに貯留し切れなくなった球を、球排出ボタン４ｃによって下皿４ｂへと球排出することができるようになっている。
【００４４】
発射ハンドル５は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆５ａが回転可能となっている。遊技者は、発射ハンドル５を手で保持しつつ、強度調整杆５ａを回転させることにより、球１０の発射強度を調整することができるようになっている。
【００４５】
遊技盤ユニット６は、遊技盤１、遊技領域１ａを画定する内レール１２ａ、遊技盤１及び遊技盤の遊技領域１ａ内に設けられた図柄表示装置１４を有してユニット構成されている。図３に、遊技盤ユニット６の外観斜視図を示す。この遊技盤ユニット６は、球発射装置から発射された球１０がレール１２に沿って遊技領域１ａへ向けて導かれるように、機枠７に保持されている。
【００４６】
遊技盤１は、発射された球１０をその遊技盤面１ｂに流下させるためのものであり、図３に示すように略平板状を呈している。遊技盤１の遊技盤面１ｂには、レール１２が取り付けられている。このレール１２は、発射された球１０を遊技領域１ａへと案内するための外レール１２ｂと遊技領域１ａを画定するための内レール１２ａとによって構成される。
【００４７】
内レール１２ａ及び外レール１２ｂは、それぞれ別々の樹脂部材によって形成され、両者が繋ぎ合わされてレール１２を構成する場合もある。しかし、本実施の形態１においては、細長い金属平板状のレール１２が遊技盤１上に立設されていて、そのレール１２のうち略円形状に遊技領域１ａを取り囲む部分が内レール１２ａを、その内レール１２ａへと繋がる部分であって発射された球１０を遊技領域１ａへと案内する部分が外レール１２ｂを構成している。ここで、遊技領域１ａとは遊技盤面１ｂ上で内レール１２ａによって囲まれた略円形部分をいう。球１０が遊技領域１ａを流下しつつ様々にその流下方向を変え、入賞口に入賞したり、図柄変動遊技が行われたり、種々の演出遊技が行われることにより、遊技者は遊技を楽しむことができるようになっている。
【００４８】
遊技盤１は、その遊技領域１ａに形成された第１入賞口１６、第２入賞口１７、第１アウト口１８、第２アウト口１９を有している。また、遊技領域１ａには、始動入賞口２０、電動入賞口２１、その他の複数の普通入賞口２２も形成され、ゲージ２３、羽根車２４等も配置されている。ここで、ゲージとは、球１０の流下方向を変化させたり球１０を誘導するために、遊技領域１ａ内に配置される釘のことをいう。また、連続的又は集合的に配置される一連の釘の配列をゲージという場合もある。
【００４９】
図４は、遊技盤１の遊技領域１ａにおける第２アウト口１９近傍を拡大して示す部分拡大図である。第１入賞口１６は、遊技領域１ａの中央下方部に形成されている。本実施の形態１においては、図柄表示装置１４の下方に始動入賞口２０が形成され、そのさらに下方に第１入賞口１６が形成されている。第１入賞口１６のすぐ下方には、第１アウト口１８が形成されている。
【００５０】
第１入賞口１６の周囲には、開閉扉（第１入賞具）１６ａが設けられている。この開閉扉１６ａは、球１０を受け入れることが可能な開状態と、球１０を受け入れることが不可能な閉状態とに可変とされている。図示しない制御装置によって、開閉扉１６ａを開閉制御することにより、第１入賞口１６への球１０の入賞の可否が制御できるようになっている。その開閉制御は、例えば図柄表示装置１４の表示態様に基づいて行われる。
【００５１】
第２入賞口１７は、図４に示すように第１入賞口１６の右上流側位置に形成されている。すなわち、第２入賞口１７は、遊技領域１ａの中央部からやや右側に寄せられて内レール１２ａに近い位置に形成されており、その下方には第２アウト口１９が形成されている。
【００５２】
このパチンコ機２においては、遊技内容の少なくとも一部に遊技領域１ａの右側に向けて所定時間連続的に球１０の発射を行わせる遊技（いわゆる、右打ち遊技）が含まれている。その右打ち遊技は、第２入賞口１７への球１０の入賞を狙わせるものであってもよいし、遊技領域１ａの右側に配置されたその他の普通入賞口２２を狙わせるものであってもよい。
【００５３】
もちろん、パチンコ機２がその遊技内容の少なくとも一部にいわゆる左打ち遊技を含むものであってもよい。その場合、第２入賞口１７及び第２アウト口１９は遊技領域１ａの中央部からやや左側に寄せられて内レール１２ａに近い位置に形成される。
【００５４】
第２入賞口１７の周囲には、開閉扉（第２入賞具）１７ａが設けられている。この開閉扉１７ａは、開閉扉１６ａと同様に球１０を受け入れることが可能な開状態と、球１０を受け入れることが不可能な閉状態とに可変とされている。図示しない制御装置によって、開閉扉１７ａを開閉制御することにより、第２入賞口１７への球１０の入賞の可否が制御できるようになっている。その開閉制御は、例えば図柄表示装置１４の表示態様に基づいて行われる。
【００５５】
例えば、本実施の形態１に係るパチンコ機２では、図柄表示装置１４が第１の態様「５・５・５」で停止表示すると開閉扉１６ａが閉成制御され、開閉扉１７ａが開成制御されて第２入賞口１７への球１０の流入が可能となり、続いて図柄表示装置１４が第２の態様「７・７・７」で停止表示すると開閉扉１７ａが閉成制御され、開閉扉１６ａが開成制御されて第１入賞口１６への球１０の流入が可能となるように構成されている。
【００５６】
そして、開閉扉１６ａが開成制御かつ開閉扉１７ａが閉成制御された状態において、遊技領域１ａの右側であって第２入賞口１７の上流側に形成された電動入賞口２１周囲の電動入賞具２１ａが開成制御されるようになっている。この状態で遊技者が右打ち遊技を行うと、電動入賞口２１へ球１０が多量に入賞し、多量の景品球が獲得できる。
【００５７】
一方、この右打ち遊技状態で第１入賞口１６へ球１０が流入すると、電動入賞具２１ａが閉成制御されるように構成されている。したがって、電動入賞口２１に入賞せずその近傍を流下した球１０が例えば内レール１２ａ等に衝突して跳ね返り、開成制御された開閉扉１６ａから第１入賞口１６へと流入すると、電動入賞口２１への入賞が困難となり遊技者にとって不利益となるようになっている。
【００５８】
第１アウト口１８は、遊技領域１ａの中央最下端近傍に形成された開口であり、遊技領域１ａの最下端まで流下した球１０、すなわちいずれの入賞口１６，１７，２０，２１，２２にも入賞しなかった球１０を流入させるためのものである。第１アウト口１８に流入した球１０は、遊技盤面１ｂ側から裏面１ｃ側へと送られ、パチンコ機２から外部に排出されるようになっている。
【００５９】
第２アウト口１９は、遊技領域１ａの中央部からやや右側に寄せられて第２入賞口１７の下流側に形成されたアウト口であり、第１アウト口１８と同様に球１０をパチンコ機２から外部へと排出するためのものである。例えば、本実施の形態１においては、この第２アウト口１９は、第１入賞口１６と第２入賞口１７と内レールとで囲まれる領域Ａ（図中斜線部）に形成されている。第２アウト口１９左右側面、前面及び底面は、その周辺に沿って立設されたアウト具（アウト口誘導具）１９ａによって閉鎖されており、球１０を上面開口（流入開口）１９ｃより確実に第２アウト口１９へと流入させることができるようになっている。
【００６０】
第２アウト口１９は、電動入賞口２１に入賞せずその近傍を流下した球１０が内レール１２ａに衝突する前に確実に流入させて排出することができる。したがって、そのような球１０が内レール１２ａに跳ね返って第１入賞口１６へ流入してしまうことがない。
【００６１】
また、右打ち遊技によって多量の球が電動入賞口２１近傍を流下しても、球１０が内レール１２ａに衝突する前に第２アウト口１９へと流入するので、内レール１２ａ近傍で球詰まりを発生したりすることもなく、衝突による内レール１２ａの痛みも低減することができる。内レール１２ａに沿って第１アウト口１８へと流入する球１０の数を低減できるので、内レール１２ａの摩耗の低減にも寄与することができる。
【００６２】
始動入賞口２０は、遊技領域１ａの中央部であって図柄表示装置１４の下方に形成された入賞口である。この始動入賞口２０に球１０が入賞すると、図柄表示装置１４に表示されている図柄（本実施の形態１においては３桁の数字）が、回転変動を開始するようになっている。
【００６３】
電動入賞口２１は、遊技領域１ａの右側であって第２入賞口１７の上流側に形成されており、その周囲にいわゆる電動チューリップと呼ばれる電動入賞具２１ａが設けられている。電動入賞具２１ａは通常状態では閉成制御されており、電動入賞口２１への球１０の入賞は困難な状態となっている。しかし、図柄表示装置１４が第２の態様「７・７・７」で停止表示すると電動入賞具２１ａが開成制御され、遊技者の右打ち遊技により容易に電動入賞口２１への入賞が可能な状態となる。そして電動入賞口２１へ球１０が入賞すると、遊技者に多数の景品球払出しが行われるようになっている。
【００６４】
なお、複数の普通入賞口２２は、球１０が入賞すると所定個数の景品球払出しが行われるものであり、ゲージ（釘）２３や羽根車２３は遊技領域１ａを流下する球１０の流下方向を変化させるためのものであるが詳細は省略する。
【００６５】
図柄表示装置１４は、遊技領域１ａの略中央に設けられた変動図柄表示用の役物であり、例えば液晶表示部１４ａを有して構成される。この液晶表示部１４ａは、３桁の数字を変動表示する数字表示部１４ｂとアニメキャラクターによるストーリー表示等の演出表示を行う演出表示部１４ｃとを有している。
【００６６】
その数字の変動表示は、球１０が始動入賞口２０へと入賞することに基づき開始されるようになっている。球１０が始動入賞口２０に入賞すると、数字表示部１４ｂの数字が回転変動表示される。そして一定時間の回転変動表示の後、数字表示部１４ｂの回転が停止し、所定の３桁の数字が停止表示される。その停止表示が第１の態様「５・５・５」であれば、開閉扉１６ａ及び電動入賞具２１ａが閉成して開閉扉１７ａが開成し、第２の態様「７・７・７」であれば、開閉扉１６ａ及び電動入賞具２１ａが開成して開閉扉１７ａが閉成するようになっている。
【００６７】
なお、本実施の形態１においては、遊技領域１ａの略中央に図柄表示装置１４を設けているが、もちろん図柄表示装置１４の配置はこれに限られない。遊技領域１ａ内のいずれの位置にも配置可能である。また、図柄表示装置の代わりに、球１０の入賞に基づいて内部に配置された役物が種々の動作を行う変動入賞装置が配置されていてもよい。
【００６８】
機枠７は、遊技盤ユニット６を保持するためのものであり、木材や樹脂等によって形成された枠部材である。全体に略長方形状を呈していて、その中央に遊技盤ユニット６を取り付けるための取付け部や開口部を有しているが、詳細は省略する。この機枠７は、パチンコ機２の筐体を構成する筐体枠３０に取り付けられている。
【００６９】
ガラス保持枠９は、ヒンジ部３２を介して機枠７に開閉可能に取り付けられている。ガラス保持枠９は前面ガラス８を保持するためのものである。その閉状態において遊技者が遊技領域１ａを視認可能に、かつ前面ガラス８と遊技盤面１ｂとによって球１０の流下路を形成するように前面ガラスを保持する。
【００７０】
続いて、このパチンコ機２での遊技において、球１０が第１アウト口１８及び第２アウト口１９へと流入する状況について説明する。
【００７１】
遊技者が発射ハンドル５を操作して強度調整杆５ａを回転させ球発射を行うと、上皿４ａから球供給装置を介して発射位置へと送り出された球１０が球発射装置によって弾球される。弾球された球１０は、発射レール、外レール１２ｂによって遊技領域１ａの上部へと導かれる。
【００７２】
遊技領域１ａの上部へと弾球された球１０は、その勢いを失うと重力によって遊技領域１ａ内を流下する。その際、球１０は、羽根車２４、ゲージ２３等に衝突しつつその流下方向を変化させ、あるものは普通入賞口２２へと入賞する。
【００７３】
球１０が始動入賞口２０に入賞すると、図柄表示装置１４が回転表示を開始する。そして第１の態様「５・５・５」で停止表示した場合には、開閉扉１６ａ及び電動入賞具２１ａが閉成して開閉扉１７ａが開成し、球１０が第２入賞口１７へと入賞可能な状態となる。この状態で遊技者が右打ち遊技を行うと、多数の球１０が第２入賞口１７へと入賞し、遊技者は多数の景品球を獲得することができる。
【００７４】
このとき、第２入賞口１７へ入賞し損なった球１０は、例えば開閉扉１７ａの左側近傍を流下する。開閉扉１６ａは閉成しているので、球１０は円滑に第１アウト口１８へと流入し、パチンコ機２の外部へと排出される。
【００７５】
一方、ここで球１０が再び始動入賞口２０へと入賞すると、再び図柄表示装置１４が回転表示を開始する。そして第２の態様「７・７・７」で停止表示した場合には、開閉扉１６ａ及び電動入賞具２１ａが開成して開閉扉１７ａが閉成し、球１０が電動入賞口２１へと入賞可能な状態となる。この状態で遊技者が右打ち遊技を行うと、多数の球１０が電動入賞口２１へと入賞し、遊技者は再び多数の景品球を獲得することができる。
【００７６】
このとき、電動入賞口２１に入賞し損なった球１０は、例えば電動入賞具２１ａの左側を流下する。開閉扉１７ａは閉成しているが、その下流側に第２アウト口１９が形成されているので、球１０は円滑に第２アウト口１９からパチンコ機２の外部へと排出される。内レール１２ａに衝突して跳ね返り、開成状態の開閉扉１６ａから第１入賞口１６へと入賞してしまうことはない。また、内レール１２ａに衝突してその部材を痛めたり、摺動によって内レール１２ａを摩耗してしまうこともない。
【００７７】
なお、図５に示すように、第１アウト口と第２アウト口とが連通して１のアウト口１９ｂを形成していてもよい。このように構成することにより、アウト球の排出がより一層円滑になるほか、裏面側のアウト球経路の経路配置の自由度が増したり、アウト口の形成工程が簡略化され、遊技盤１やパチンコ機２の製造効率の向上に寄与することができる。
【００７８】
［実施の形態２］
図６に、本発明の実施の形態２に係る遊技盤の第２アウト口１９近傍を拡大して示す部分拡大図である。この実施の形態２においては、第２アウト口の周囲に設けられたアウト具１９ａが、球１０を受け入れることが可能な開状態と、球１０を受け入れることが不可能な閉状態とに可変とされている。しかも、アウト具１９ａの上面開口（流入開口）１９ｃの開口幅Ｗ１が第２入賞口１７の開閉扉１７ａの横幅Ｗ２よりも大きく開口している。
【００７９】
このように構成することにより、必要に応じてアウト具１９ａを開閉制御することができ、遊技内容に応じて第２アウト口１９に球１０を流入させないように構成することができる。また、上面開口１９ｃの開口幅が開閉扉１７ａの横幅よりも大きいので、開閉扉１７ａが開成制御されている状態においても、第２入賞口１７に入賞し損なってその近傍を流下する球１０を第２アウト口１９へと流入させることができる。
【００８０】
以上、本発明の好ましい実施の形態を説明したが、本発明はこれらに限定されるものではなく、その要旨の範囲内で様々な変形や変更が可能である。
【図面の簡単な説明】
【００８１】
【図１】本発明の実施の形態１に係る遊技盤を有するパチンコ機の正面図である。
【図２】図１に示すパチンコ機のガラス保持枠を開成した状態を示す外観斜視図である。
【図３】図１に示すパチンコ機が有する遊技盤ユニットの外観斜視図である。
【図４】図３に示す遊技盤の遊技領域における第２アウト口近傍を拡大して示す部分拡大図である。
【図５】図３に示す遊技盤の周辺入賞口近傍を拡大して示す部分拡大図であって、第１アウト口と第２アウト口とが連通して１のアウト口を形成する状態を示す図である。
【図６】本発明の実施の形態２に係る遊技盤の遊技領域における第２アウト口近傍を拡大して示す部分拡大図である。
【符号の説明】
【００８２】
Ａ：領域
Ｗ１：開口幅
Ｗ２：横幅
１：遊技盤
１ａ：遊技領域
１ｂ：遊技盤面
１ｃ：裏面
２：パチンコ機
４：貯留皿
４ａ：上皿（球皿）
４ｂ：下皿
４ｃ：球排出ボタン
５：発射ハンドル
５ａ：強度調整杆
６：遊技盤ユニット
７：機枠（保持枠）
８：前面ガラス
９：ガラス保持枠
１０：球（パチンコ球）
１２：レール
１２ａ：内レール
１２ｂ：外レール
１４：図柄表示装置
１４ａ：液晶表示部
１４ｂ：数字表示部
１４ｃ：演出表示部
１６：第１入賞口
１６ａ：開閉扉（第１入賞具）
１７：第２入賞口
１７ａ：開閉扉（第２入賞具）
１８：第１アウト口
１９：第２アウト口
１９ａ：アウト具（アウト口誘導具）
１９ｂ：アウト口
１９ｃ：上面開口（流入開口）
２０：始動入賞口
２１：電動入賞口
２１ａ：電動入賞具（電動チューリップ）
２２：普通入賞口
２３：ゲージ（釘）
２４：羽根車
３０：筐体枠
３２：ヒンジ部
【図１】
2008067937.tif 000003
【図２】
2008067937.tif 000004
【図３】
2008067937.tif 000005
【図４】
2008067937.tif 000006
【図５】
2008067937.tif 000007
【図６】
2008067937.tif 000008